(57)【要約】【課題】記憶装置に保存された印刷実行データを後で印刷する場合、環境の変化や部品等の消耗により画質劣化が発生した場合でも、常に最適な画像を得ることができるようにする。【解決手段】プリントエンジン１１０にてキャリブレーションが行われて濃度補正情報が変更されたときに、ＨＤＤ１０３に格納されている印刷実行データが複数あって、それらの印刷実行データをすべて再生成する必要が生じた場合、印刷データの使用回数や印刷実行データの再生成に要する時間情報に応じて、印刷実行データの生成順序を決定する。このときに、画像形成装置１に格納している印刷データの使用回数をみて、その使用回数が多い順に再生成を行ったり、また画像形成装置１の使用状態をみて、その使用頻度が高ければ再生成時間が短い印刷データ順に再生成を行ったり、逆に画像形成装置１の使用頻度が低ければ再生成時間が長い印刷データ順に再生成を行うようにする。【選択図】図２
2006231525.tif 000002
【特許請求の範囲】
【請求項１】
ページ記述言語で記述された印刷データを取得する印刷データ取得手段と、
画像濃度の補正に用いられる濃度補正情報を保持する濃度補正情報保持手段と、
該濃度補正情報保持手段に保持する濃度補正情報をキャリブレーションの実行により更新するキャリブレーション手段と、
前記印刷データ取得手段で取得された印刷データを、前記濃度補正情報保持手段に保持している濃度補正情報を用いて処理することにより、印刷実行可能な印刷実行データを生成する印刷実行データ生成手段と、
前記印刷データ取得手段が取得した印刷データ、前記印刷実行データ生成手段で生成された印刷実行データ、及び該印刷実行データの生成に使用した前記濃度補正情報、を関連付けて格納する格納手段と、
前記印刷実行データ生成手段が生成した印刷実行データを出力する印刷実行データ出力手段と、を有する印刷実行データ出力システムであって、
該印刷実行データ出力システムは、印刷実行データに関連付けられて格納されている濃度補正情報と前記濃度補正情報保持手段に保持されている濃度補正情報とを比較する濃度補正情報比較手段と、
該濃度補正情報比較手段の比較結果、各前記濃度補正情報が互いに異なっている場合に前記濃度補正情報保持手段に保持されている濃度補正情報を用いて、前記格納手段に格納された印刷データを処理することにより、新たな印刷実行データを再生成する印刷実行データ再生成手段とを有し、
該印刷実行データ再生成手段は、前記新たな印刷実行データを再生成する際に、前記格納手段に格納された印刷データの印刷回数履歴情報、または印刷実行データの再生成に要する時間情報に応じて、前記印刷実行データの再生成を行う順番を決定することを特徴とする印刷実行データ出力システム。
【請求項２】
請求項１に記載の印刷実行データ出力システムにおいて、前記印刷実行データ再生成手段は、前記印刷データの印刷回数履歴情報に応じて印刷実行データの再生成を行う場合に、前記印刷回数履歴が大きい印刷データから、印刷実行データを再生成することを特徴とする印刷実行データ出力システム。
【請求項３】
請求項１に記載の印刷データ出力実行システムにおいて、前記印刷実行データ再生成手段は、前記印刷実行データの再生成に要する時間情報に応じて印刷実行データの再生成を行う場合に、前記時間情報の優先順位を、印刷装置の使用状況に応じて決定することを特徴とする印刷実行データ出力システム。
【請求項４】
請求項３に記載の印刷実行データ出力システムにおいて、前記印刷装置の使用状況は、
印刷装置が印刷を実行している頻度であり、前記印刷実行データ再生成手段は、前記印刷装置が印刷を実行している頻度が高いときには、前記印刷実行データに要する時間情報の短い印刷データから印刷実行データを再生成し、前記印刷装置が印刷を実行している頻度が低いときには、前記印刷実行データに要する時間情報の長い印刷データから印刷実行データを再生成することを特徴とする印刷実行データ出力システム。
【請求項５】
請求項１ないし４のいずれか１に記載の印刷実行データ出力システムにおいて、前記印刷実行データ再生成手段が印刷実行データを再生成する際に、該印刷実行データの再生成に要する時間情報を表示する再生成時間表示手段を備えることを特徴とする印刷実行データ出力システム。
【請求項６】
請求項１ないし５のいずれか１に記載の印刷実行データ出力システムにおいて、前記印刷実行データ再生成手段が再生する印刷実行データの生成順序に関する条件を設定することができる操作パネルを備えることを特徴とする印刷実行データ出力システム。
【請求項７】
請求項１ないし６のいずれか１に記載の印刷実行データ出力システムにおいて、前記格納手段は、前記印刷データの印刷回数履歴情報、及び前記印刷実行データの再生成に要する時間情報を、対応する印刷データに関連付けて記憶することを特徴とする印刷実行データ出力システム。
【請求項８】
ページ記述言語で記述された印刷データを取得する印刷データ取得ステップと、
キャリブレーションを実行することにより、画像濃度の補正に用いるために濃度補正情報保持手段に保持されている濃度補正情報を更新するキャリブレーションステップと、
前記印刷データ取得ステップで取得された印刷データを、前記濃度補正情報保持手段に保持している濃度補正情報を用いて処理することにより、印刷実行可能な印刷実行データを生成する印刷実行データ生成ステップと、
前記印刷データ取得ステップで取得した印刷データ、前記印刷実行データ生成ステップで生成された印刷実行データ、及び該印刷実行データの生成に使用した前記濃度補正情報を関連付けて格納手段に格納する格納ステップと、
該印刷実行データ生成ステップで生成した印刷実行データを出力する印刷実行データ出力ステップとを有する印刷実行データ出力方法であって、
前記印刷実行データ出力ステップで印刷実行データを出力する際、該印刷実行データに関連付けられて前記格納手段に格納されている濃度補正情報と前記濃度補正情報保持手段に保持されている濃度補正情報とを比較する濃度補正情報比較ステップと、
該濃度補正情報比較ステップにおける比較結果、各前記濃度補正情報が互いに異なっている場合に、前記格納手段に格納されている印刷実行データを削除する削除ステップと、
前記削除ステップにより前記印刷実行データが削除されたときに、前記濃度補正情報保持手段に保持されている濃度補正情報を用いて、前記格納手段に格納された印刷データを処理することにより、新たな印刷実行データを再生成する印刷実行データ再生成ステップとを有し、
該印刷実行データ再生成ステップは、前記新たな印刷実行データを再生成する際に、前記格納手段に格納された印刷データの印刷回数履歴情報、または印刷実行データの再生成に要する時間情報に応じて、前記印刷実行データの再生成を行う順番を決定することを特徴とする印刷実行データ出力方法。
【請求項９】
請求項８に記載の印刷実行データ出力方法において、前記印刷実行データ再生成ステップは、前記印刷データの印刷回数履歴情報に応じて印刷実行データの再生成を行う場合に、前記印刷回数履歴が大きい印刷データから、印刷実行データを再生成することを特徴とする印刷実行データ出力方法。
【請求項１０】
請求項８に記載の印刷実行データ出力方法において、前記印刷実行データ再生成ステップは、前記印刷実行データの再生成に要する時間情報に応じて印刷実行データの再生成を行う場合に、前記時間情報の優先順位を、印刷装置の使用状況に応じて設定することを特徴とする印刷実行データ出力方法。
【請求項１１】
請求項１０に記載の印刷実行データ出力方法において、前記印刷装置の使用状況は、印刷装置が印刷を実行している頻度であり、前記印刷実行データ再生成ステップは、前記印刷装置が印刷を実行している頻度が高いときには、前記印刷実行データに要する時間情報の短い印刷データから、印刷実行データを再生成し、前記印刷装置が印刷を実行している頻度が低いときには、前記印刷実行データに要する時間情報の長い印刷データから印刷実行データを再生成することを特徴とする印刷実行データ出力方法。
【請求項１２】
請求項８ないし１１のいずれか１に記載の印刷実行データ出力方法において、前記印刷実行データ再生成ステップで印刷実行データを再生成する際に、該印刷実行データを再生成するのに要する時間情報を表示する再生成時間表示ステップを有することを特徴とする印刷実行データ出力方法。
【請求項１３】
請求項８ないし１２のいずれか１に記載の印刷実行データ出力方法において、前記印刷実行データ再生成ステップで再生成する印刷実行データの生成順序を設定する再生成条件生成ステップを有することを特徴とする印刷実行データ出力方法。
【請求項１４】
請求項８ないし１３のいずれか１に記載の印刷実行データ出力方法において、前記格納ステップは、前記印刷データの印刷回数履歴情報、及び前記印刷実行データの再生成に要する時間情報を、対応する印刷データに関連付けてさらに記憶することを特徴とする印刷実行データ出力方法。
【請求項１５】
コンピュータを、請求項１ないし７のいずれか１に記載の印刷実行データ出力システムとして機能させるためのプログラム。
【請求項１６】
請求項１５に記載のプログラムをコンピュータ読み取り可能に記録した記録媒体。
【発明の詳細な説明】
【技術分野】
【０００１】
本発明は、印刷実行データ出力システム、印刷実行データ出力方法、プログラム及び記録媒体に関し、より具体的には、印刷データ等を記録媒体に格納し、必要に応じて取り出して画像を形成できるようにした印刷実行データ出力システム、印刷実行データ出力方法、プログラム及び記録媒体に関する。
【背景技術】
【０００２】
近年、印刷装置としてカラーレーザービームプリンタ等のディジタルカラー印刷装置等が急速に普及しており、印刷スピードの向上や高解像度化が図られている。このような印刷装置においては、例えば、環境（温湿度）の変化や部品の消耗等により画像劣化が顕著化するようになり、これを補正するためのキャリブレーション機能が注目されている。
【０００３】
一方、カラープリンタに採用されるポストスクリプト（アドビシステムズの登録商標）等のページ記述言語によって記述された印刷データに基づいて印刷を行う際は、従来から印刷制御装置によってページ記述言語の解析処理等を行って印刷装置に受け渡すための印刷実行データを作成している。すなわち印刷データ中のページ記述言語をインタプリタによって解釈して中間コードを生成し、当該中間コードをレンダリングして各ラスタのビットマップデータからなるラスターデータを生成し、さらにそのラスターデータに対してハーフトーン処理を行うなどして印刷実行データとしている（特許文献１、特許文献２、特許文献３）。
【０００４】
また、同じ文書を何度も出力したり機密性を高めるため、一旦ハードディスク等の記憶装置に印刷実行データを保存し、ユーザが印刷装置を直接操作することによって出力を開始するものが提案されている（特許文献４）。
【特許文献１】特開２００３−２７１３６８号公報
【特許文献２】特開２００３−２８９４５０号公報
【特許文献３】特開２００１−３４７７０９号公報
【特許文献４】特開平１０−２８５３８８号公報
【発明の開示】
【発明が解決しようとする課題】
【０００５】
上述した従来の技術においては、以下の問題があった。すなわち、ハードディスク等の記憶装置に保存された印刷実行データを用いて後で印刷を行う場合、環境の変化や部品等の消耗により画質劣化が発生し、この条件で印刷した結果にユーザが満足できない場合は、再度印刷データを印刷装置に送信する必要があった。この場合には、キャリブレーションにより濃度補正情報を更新し、その濃度補正情報に基づいて色補正を行うが、この色補正を行う処理が上記レンダリングの段階で行われるため、ハーフトーン処理を行った印刷実行データの段階では、更新された濃度補正情報を反映できないためである。すなわち、濃度補正情報を更新しても、印刷実行データに反映することができないため、再度印刷データを印刷装置に送信し、更新された濃度補正情報によって印刷実行データを生成する必要があった。
【０００６】
本発明は、上記課題に鑑みてなされたもので、ハードディスク等の記憶装置に保存された印刷実行データを後で印刷する場合、環境の変化や部品等の消耗により画質劣化が発生した場合でも、印刷装置に負荷をかけることなく、常に最適な画像を得ることができるようにした印刷実行データ出力システム、印刷実行データ出力方法、プログラム及び記録媒体を提供することを目的とする。
【課題を解決するための手段】
【０００７】
上記課題を解決するために、第１の技術手段は、ページ記述言語で記述された印刷データを取得する印刷データ取得手段と、画像濃度の補正に用いられる濃度補正情報を保持する濃度補正情報保持手段と、濃度補正情報保持手段に保持する濃度補正情報をキャリブレーションの実行により更新するキャリブレーション手段と、印刷データ取得手段で取得された印刷データを、濃度補正情報保持手段に保持している濃度補正情報を用いて処理することにより、印刷実行可能な印刷実行データを生成する印刷実行データ生成手段と、印刷データ取得手段が取得した印刷データ、印刷実行データ生成手段で生成された印刷実行データ、及び印刷実行データの生成に使用した濃度補正情報、を関連付けて格納する格納手段と、印刷実行データ生成手段が生成した印刷実行データを出力する印刷実行データ出力手段と、を有する印刷実行データ出力システムであって、印刷実行データ出力システムは、印刷実行データに関連付けられて格納されている濃度補正情報と濃度補正情報保持手段に保持されている濃度補正情報とを比較する濃度補正情報比較手段と、濃度補正情報比較手段の比較結果、各濃度補正情報が互いに異なっている場合に濃度補正情報保持手段に保持されている濃度補正情報を用いて、格納手段に格納された印刷データを処理することにより、新たな印刷実行データを再生成する印刷実行データ再生成手段とを有し、印刷実行データ再生成手段は、新たな印刷実行データを再生成する際に、格納手段に格納された印刷データの印刷回数履歴情報、または印刷実行データの再生成に要する時間情報に応じて、印刷実行データの再生成を行う順番を決定することを特徴としたものである。
【０００８】
第２の技術手段は、第１の技術手段において、上記の印刷実行データ再生成手段が、印刷データの印刷回数履歴情報に応じて印刷実行データの再生成を行う場合に、印刷回数履歴が大きい印刷データから、印刷実行データを再生成することを特徴としたものである。
【０００９】
第３の技術手段は、第１の技術手段において、印刷実行データ再生成手段が、印刷実行データの再生成に要する時間情報に応じて印刷実行データの再生成を行う場合に、時間情報の優先順位を、印刷装置の使用状況に応じて決定することを特徴としたものである。
【００１０】
第４の技術手段は、第３の技術手段において、上記印刷装置の使用状況が、印刷装置が印刷を実行している頻度であり、印刷実行データ再生成手段は、印刷装置が印刷を実行している頻度が高いときには、印刷実行データに要する時間情報の短い印刷データから印刷実行データを再生成し、印刷装置が印刷を実行している頻度が低いときには、印刷実行データに要する時間情報の長い印刷データから印刷実行データを再生成することを特徴としたものである。
【００１１】
第５の技術手段は、第１ないし第４のいずれか１の技術手段において、印刷実行データ再生成手段が印刷実行データを再生成する際に、印刷実行データの再生成に要する時間情報を表示する再生成時間表示手段を備えることを特徴としたものである。
【００１２】
第６の技術手段は、第１ないし第５のいずれか１の技術手段において、印刷実行データ再生成手段が再生する印刷実行データの生成順序に関する条件を設定することができる操作パネルを備えることを特徴としたものである。
【００１３】
第７の技術手段は、第１ないし第６のいずれか１の技術手段において、格納手段が、印刷データの印刷回数履歴情報、及び印刷実行データの再生成に要する時間情報を、対応する印刷データに関連付けて記憶することを特徴としたものである。
【００１４】
第８の技術手段は、ページ記述言語で記述された印刷データを取得する印刷データ取得ステップと、キャリブレーションを実行することにより、画像濃度の補正に用いるために濃度補正情報保持手段に保持されている濃度補正情報を更新するキャリブレーションステップと、印刷データ取得ステップで取得された印刷データを、濃度補正情報保持手段に保持している濃度補正情報を用いて処理することにより、印刷実行可能な印刷実行データを生成する印刷実行データ生成ステップと、印刷データ取得ステップで取得した印刷データ、印刷実行データ生成ステップで生成された印刷実行データ、及び印刷実行データの生成に使用した濃度補正情報を関連付けて格納手段に格納する格納ステップと、印刷実行データ生成ステップで生成した印刷実行データを出力する印刷実行データ出力ステップとを有する印刷実行データ出力方法であって、印刷実行データ出力ステップで印刷実行データを出力する際、印刷実行データに関連付けられて格納手段に格納されている濃度補正情報と濃度補正情報保持手段に保持されている濃度補正情報とを比較する濃度補正情報比較ステップと、濃度補正情報比較ステップにおける比較結果、各濃度補正情報が互いに異なっている場合に、格納手段に格納されている印刷実行データを削除する削除ステップと、削除ステップにより印刷実行データが削除されたときに、濃度補正情報保持手段に保持されている濃度補正情報を用いて、格納手段に格納された印刷データを処理することにより、新たな印刷実行データを再生成する印刷実行データ再生成ステップとを有し、印刷実行データ再生成ステップは、新たな印刷実行データを再生成する際に、格納手段に格納された印刷データの印刷回数履歴情報、または印刷実行データの再生成に要する時間情報に応じて、印刷実行データの再生成を行う順番を決定することを特徴としたものである。
【００１５】
第９の技術手段は、第８の技術手段において、印刷実行データ再生成ステップが、印刷データの印刷回数履歴情報に応じて印刷実行データの再生成を行う場合に、印刷回数履歴が大きい印刷データから、印刷実行データを再生成することを特徴としたものである。
【００１６】
第１０の技術手段は、第８の技術手段において、印刷実行データ再生成ステップが、印刷実行データの再生成に要する時間情報に応じて印刷実行データの再生成を行う場合に、時間情報の優先順位を、印刷装置の使用状況に応じて設定することを特徴としたものである。
【００１７】
第１１の技術手段は、第１０の技術手段において、印刷装置の使用状況が、印刷装置が印刷を実行している頻度であり、印刷実行データ再生成ステップは、印刷装置が印刷を実行している頻度が高いときには、印刷実行データに要する時間情報の短い印刷データから、印刷実行データを再生成し、印刷装置が印刷を実行している頻度が低いときには、印刷実行データに要する時間情報の長い印刷データから印刷実行データを再生成することを特徴としたものである。
【００１８】
第１２の技術手段は、第８ないし第１１のいずれか１の技術手段において、再生成ステップで印刷実行データを再生成する際に、印刷実行データを再生成するのに要する時間情報を表示する再生成時間表示ステップを有することを特徴としたものである。
【００１９】
第１３の技術手段は、第８ないし第１２のいずれか１の技術手段において、印刷実行データ再生成ステップで再生成する印刷実行データの生成順序を設定する再生成条件生成ステップを有することを特徴としたものである。
【００２０】
第１４の技術手段は、第８ないし第１３のいずれか１の技術手段において、格納ステップが、印刷データの印刷回数履歴情報、及び印刷実行データの再生成に要する時間情報を、対応する印刷データに関連付けてさらに記憶することを特徴としたものである。
【００２１】
第１５の技術手段は、コンピュータを、第１ないし第７のいずれか１の技術手段における印刷実行データ出力システムとして機能させるためのプログラムである。
【００２２】
第１６の技術手段は、第１５の技術手段におけるプログラムをコンピュータ読み取り可能に記録した記録媒体である。
【発明の効果】
【００２３】
本発明によれば、ハードディスク等の記憶装置に保存された印刷実行データを後で印刷する場合、環境の変化や部品等の消耗により画質劣化が発生した場合でも、最新の濃度補正情報を使用して再度印刷実行データを生成して画像形成を行うことにより、印刷装置に負荷をかけることなく常に最適な画像を得ることができる。
【００２４】
特に、印刷装置に保持した印刷データを再印刷する際に、色再現条件が変化して印刷データの展開が必要となったとき、印刷実行データの再生成時間に応じて印刷実行データの生成順序を入れ替えることで、印刷実行データの再生成処理時の印刷装置の負荷を低減することができる。
【００２５】
また印刷装置が煩雑に使用されているときには、印刷実行データの再生成に要する時間が短い印刷データを優先して印刷実行データの再生成を行い、印刷装置が使用されていない場合には、印刷実行データの再生成に要する時間が長い印刷データを優先して印刷実行データの再生成を行うことができるため、印刷装置の空き時間を有効利用することが可能となる。
【００２６】
また、印刷回数が多い（利用頻度が高い）印刷データを優先して印刷実行データを再生成することで、再印刷処理が必要な場合に、印刷実行データ生成の遅れがなくなり、印刷装置を有効利用することができる。
【００２７】
また印刷実行データの再生成に要する時間情報を表示することにより、印刷装置の利用者は、印刷の実行に関わる時間がわかるようになり、登録されている印刷データから印刷実行データを再生成するときの順序を任意に設定することができ、またこれにより印刷装置を有効利用することができるようになる。
【発明を実施するための最良の形態】
【００２８】
図１は、本発明の印刷実行データ出力システムを適用可能な画像形成装置（印刷装置）の構成例を示す図である。画像形成装置１は、外部から伝達された画像データに応じて、所定のシート（記録用紙）に対して多色及び単色の画像を形成する。そして画像形成装置１は、図示するように、露光ユニット１１、現像器１２ａ〜１２ｄ、感光体ドラム１３ａ〜１３ｄ、帯電器１５ａ〜１５ｄ、クリーナユニット１４ａ〜１４ｄ、中間転写ベルトユニット１８、定着ユニット２２と、用紙搬送路Ｓ、給紙トレイ２０及び排紙トレイ２９等を有している。
【００２９】
なお、本実施形態の画像形成装置で扱われる画像データは、ブラック（Ｋ）、シアン（Ｃ）、マゼンタ（Ｍ）、イエロー（Ｙ）の各色を用いたカラー画像に応じたものである。従って、現像器１２ａ〜１２ｄ、感光体ドラム１３ａ〜１３ｄ、帯電器１５ａ〜１５ｄ、クリーナユニット１４ａ〜１４ｄは、各色に応じた４種類の潜像を形成するように、各色に対応した４つの画像ステーションを構成している。
【００３０】
感光体ドラム１３ａ〜１３ｄは、本画像形成装置の上部に配置（装着）されている。帯電器１５ａ〜１５ｄは、感光体ドラム１３ａ〜１３ｄの表面を所定の電位に均一に帯電させるための帯電手段であり、図１に示すように接触型のローラ型やブラシ型の帯電器の他、チャージャー型の帯電器が用いられることもある。露光ユニット１１は、図１に示すようにレーザ照射部及び反射ミラーを備えたレーザスキャニングユニット（ＬＳＵ）を用いる構成の他に、発光素子をアレイ状に並べた例えばＥＬやＬＥＤ書込みヘッドを用いる構成もある。
【００３１】
そして帯電された感光体ドラム１３ａ〜１３ｄを、入力された画像データに応じて露光することにより、その表面に画像データに応じた静電潜像を形成する。現像器１２ａ〜１２ｄは、それぞれの感光体ドラム１３ａ〜１３ｄ上に形成された静電潜像を（Ｋ、Ｃ、Ｍ、Ｙ）のトナーにより顕像化するものである。またクリーナユニット１４ａ〜１４ｄは、現像・画像転写後における感光体ドラム１３ａ〜１３ｄ上の表面に残留したトナーを除去・回収するものである。
【００３２】
感光体ドラム１３ａ〜１３ｄの上方に配置されている中間転写ベルトユニット１８は、中間転写ベルト１７、中間転写ベルト駆動ローラ１７１、中間転写ベルト従動ローラ１７２、中間転写ベルトテンション機構１７３、中間転写ローラ１６ａ〜１６ｄ、及び中間転写ベルトクリーニングユニット１９を備えている。
中間転写ベルト駆動ローラ１７１、中間転写ベルトテンション機構１７３、中間転写ローラ１６ａ〜１６ｄ、中間転写ベルト従動ローラ１７２等は、中間転写ベルト１７を張架し、矢印Ｂ方向に回転駆動させるものである。
【００３３】
中間転写ローラ１６ａ〜１６ｄは、中間転写ベルトユニット１８の中間転写ベルトテンション機構１７３の中間転写ローラ取付部に回転可能に支持されており、感光体ドラム１３ａ〜１３ｄのトナー像を、中間転写ベルト１７上に転写するための転写バイアスを与える。
また中間転写ベルト１７は、それぞれの感光体ドラム１３ａ〜１３ｄに接触するように設けられ、感光体ドラム１３ａ〜１３ｄに形成された各色のトナー像を中間転写ベルト１７に順次的に重ねて転写することによって、中間転写ベルト１７上にカラーのトナー像（多色トナー像）が形成される。この中間転写ベルト１７は、厚さ１１００μｍ〜１１５０μｍ程度のフィルムを用いて無端状に形成されている。
【００３４】
感光体ドラム１３ａ〜１３ｄから中間転写ベルト１７へのトナー像の転写は、中間転写ベルト１７の裏側に接触している中間転写ローラ１６ａ〜１６ｄによって行われる。中間転写ローラ１６ａ〜１６ｄには、トナー像を転写するために高電圧の転写バイアス（トナーの帯電極性（−）とは逆極性（＋）の高電圧）が印加されている。中間転写ローラ１６ａ〜１６ｄは、直径１８〜１１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト１７に対して均一に高電圧を印加することができる。本実施形態では転写電極としてローラ形状を使用しているが、それ以外にブラシなども用いることができる。
【００３５】
上述の様に、各感光体ドラム１３ａ〜１３ｄ上で各色相に応じて顕像化された静電像は中間転写ベルト１７で積層され、装置に入力された画像情報となる。このように、積層された画像情報は中間転写ベルト１７の回転によって、後述の用紙と中間転写ベルト１７の接触位置に配置される転写ローラ２１によって用紙上に転写される。
この時、中間転写ベルト１７と転写ローラ２１は所定ニップで圧接されると共に、転写ローラ２１にはトナーを用紙に転写させるための電圧が印加される（トナーの帯電極性（−）とは逆極性（＋）の高電圧）。さらに、転写ローラ２１が上記ニップを定常的に得るために、転写ローラ２１もしくは前記中間転写ベルト駆動ローラ１７１の何れか一方を硬質材料（金属等）とし、他方を弾性ローラ等の軟質材料（弾性ゴムローラ、または発泡性樹脂ローラ等々）とする。
【００３６】
また、上記のように、感光体ドラム１３ａ〜１３ｄとの接触により中間転写ベルト１７に付着したトナー、若しくは、転写ローラ２１によって用紙上に転写が行われず中間転写ベルト１７上に残存したトナーは、次工程でトナーの混色を発生させる原因となるために、中間転写ベルトクリーニングユニット１９によって除去・回収されるように設定されている。中間転写ベルトクリーニングユニット１９には、中間転写ベルト１７に接触する例えばクリーニング部材としてクリーニングブレードが備えられており、クリーニングブレードが接触する中間転写ベルト１７は、裏側から中間転写ベルト従動ローラ１７２で支持されている。
【００３７】
給紙トレイ２０は、画像形成に使用するシート（記録用紙）を蓄積しておくためのトレイであり、画像形成装置１の画像形成部及び露光ユニット１１の下側に設けられている。また、画像形成装置１の上部に設けられている排紙トレイ２９は、印刷済みのシートをフェイスダウンで載置するためのトレイである。
また、本画像形成装置１には、給紙トレイ２０のシートを転写ローラ２１や定着ユニット２２を経由させて排紙トレイ２９に送るための、略垂直形状の用紙搬送路Ｓが設けられている。さらに、給紙トレイ２０から排紙トレイ２９までの用紙搬送路Ｓの近傍には、ピックアップローラ２８ａ，２８ｂ、レジストローラ２３、転写ローラ２１、定着ユニット２２、シートを搬送する搬送ローラ２７ａ〜２７ｈ等が配されている。
【００３８】
搬送ローラ２７ａ〜２７ｈは、シートの搬送を促進・補助するための小型のローラであり、用紙搬送路Ｓに沿って複数設けられている。ピックアップローラ２８ａは、給紙トレイ２０の端部に備えられ、給紙トレイ２０からシートを１枚毎に用紙搬送路Ｓに供給する呼び込みローラである。
また、レジストローラ２３は、用紙搬送路Ｓを搬送されているシートをいったん保持するものである。そして、感光体ドラム１３ａ〜１３ｄ上のトナー像の先端とシートの先端を合わせるタイミングでシートを転写部（転写ローラ２１）に搬送する機能を有している。
【００３９】
定着ユニット２２は、ヒートローラ２４，加圧ローラ２５等を備えており、ヒートローラ２４及び加圧ローラ２５は、シートを挟んで回転するようになっている。
また、ヒートローラ２４は、図示しない温度検出器からの信号に基づいて制御部によって所定の定着温度となるように設定されており、加圧ローラ２５とともにシートを熱圧着することにより、シートに転写された多色トナー像を溶融・混合・圧接し、シートに対して熱定着させる機能を有している。
【００４０】
なお、多色トナー像の定着後のシートは、搬送ローラ２７ｈ，２７ｇ，２７ｃによって用紙搬送路Ｓの反転排紙経路に搬送され、反転された状態で（多色トナー像を下側に向けて）、排紙トレイ２９上に排出されるようになっている。
【００４１】
次に、シート搬送経路を詳細に説明する。上記画像形成装置１には予めシートを収納する給紙トレイ２０が配置されると共に、ユーザが少数枚の印字を行う時に給紙トレイ２０の開閉動作を行わなくてもよいように、給紙トレイ２０の他に手差しトレイ２６が配置されている。これら両方のトレイ２０，２６からの給紙を行うために、各々ピックアップローラ２８ａ，２８ｂが配置され、各トレイ２０，２６からシートを１枚ずつ搬送路に導くようになっている。
【００４２】
シートの片面のみに印字を行う片面印字が要求された場合、給紙トレイ２０から搬送されるシートは、搬送路中の搬送ローラ２７ａによってレジストローラ２３まで搬送され、シートの先端と中間転写ベルト１７上の画像情報の先端を整合するタイミングで転写ローラ２１に搬送され、シート上に画像情報が書き込まれる。その後、シートは定着ユニット２２を通過することによってシート上の未定着トナーが熱で溶融・固着され、搬送ローラ２７ｂを経て搬送ローラ２７ｃから排紙トレイ２９上に排出される。
【００４３】
他方、手差しトレイ２６に積載されるシートはピックアップローラ２８ｂによって給紙され、複数の搬送ローラ２７ｆ、２７ｅ、２７ｄを経てレジストローラ２３に到達し、それ以降は給紙トレイ２０から給紙されるシートと同様の経過を経て排紙トレイ２９に排出される。
【００４４】
また、印字要求内容が両面印字要求の時は、上記のように片面印字が終了して定着ローラ２２を通過したシートの後端が搬送ローラ２７ｃでチャックされ、排紙ローラが逆回転することによって搬送ローラ２７ｇ，２７ｈに導かれた後、レジストローラ２３を経て裏面印字が行われた後に排紙トレイ２９に排出される。
【００４５】
図２は本発明の実施の形態に係る画像形成装置（印刷装置）の内部構成を示すブロック図である。図２の画像形成装置は、ホストコンピュータから文字、図形、写真等の画像データをページ記述言語の形式で受信し、印刷可能な印刷実行データを生成して画像を形成するプリンタ等の画像形成装置の例を示すものである。図２において、画像形成装置１は、プリンタコントローラ１００、給紙、排紙、転写、定着等を行うプリントエンジン１１０、及び保存された印刷実行データの印刷指示等を行う操作パネル１２０を有し、プリントエンジン１１０と操作パネル１２０とが、プリンタコントローラ１００に接続されている。またプリンタコントローラ１００には、ページ記述言語形式のデータを送信してくるホストコンピュータ２００が接続されている。
【００４６】
プリンタコントローラ１００は、プリンタコントローラ１００の各部を制御するＣＰＵ１０１、ホストコンピュータ２００から送られてくるデータや印刷実行データ、濃度補正情報などの各種データを一時格納するＲＡＭ１０２、印刷データ、印刷実行データ、濃度補正情報、印刷データ使用回数情報、印刷実行データ展開時間情報等を格納するＨＤＤ１０３、ホストコンピュータ２００との間でデータの送受信を行うためのネットワークコントローラ１０４、及びプリントエンジン１１０を制御するためのビデオコントローラ１０５を有する。
【００４７】
またプリントエンジン１１０は、印刷を行うための画像形成部１１１、キャリブレーションを行うための濃度センサ１１２、及び温湿度センサ１１３を有する。なお、本例におけるプリントエンジン１１０は、４色のトナーを使用可能な電子写真方式のカラープリンタであり、ＣＭＹＫのトナーを有する。
【００４８】
図３は、本発明の印刷実行データ出力システムによって実行される印刷実行処理の一例を説明するためのフローチャートである。
図３において、画像形成装置（印刷装置）１００のＣＰＵ１０１は、印刷指示が入力した際に、その入力指示がホストコンピュータ２００からのものか、操作パネル１２０からのものかを判別する（ステップＳ１）。印刷指示がホストコンピュータ２００から送られてきた場合は、ページ記述言語形式の印刷データをホストコンピュータ２００より取得し（ステップＳ２）、取得した印刷データをＨＤＤ１０３に格納する（ステップＳ３）。
【００４９】
次に、ＣＰＵ１０１は、ＨＤＤ１０３に格納した印刷データを読み出し、レンダリング処理を行う（ステップＳ４）。このレンダリング処理により、その印刷データが展開されてＣＭＹＫ各々のラスターデータが生成される。このラスターデータに対し、現在の濃度補正情報を取得し、濃度補正処理を行う（ステップＳ５）。この現在の濃度補正情報とは、キャリブレーションの実行によりプリントエンジン１１０のセンサの検出情報から得られる濃度補正情報を、印刷データと関係なく、プリンタコントローラ１００のＲＡＭ１０２に記憶するもので、キャリブレーションを行う毎に得られた濃度補正情報を更新しながらＲＡＭ１０２に保持せしめることにより、常に現在の濃度補正情報を得ることができるようにしたものである。
【００５０】
そして、上記ステップＳ５で濃度補正処理を行ったデータにハーフトーン処理を実行して（ステップＳ６）、印刷実行データを生成し、使用した濃度補正情報とともに印刷実行データを関連付けてＨＤＤ１０３に格納する（ステップＳ７）。そしてこの印刷実行データをビデオコントローラ１０５経由でプリントエンジン１１０に出力し、印刷処理により画像形成を行って（ステップＳ８）、本処理を終了する。
【００５１】
一方、印刷指示が操作パネル１２０から入力したものであり、この印刷指示が印刷実行データ作成済みの印刷（再印刷）の実行指示である場合は、ＨＤＤ１０３に格納されている印刷データのなかから、再印刷する印刷データを選択し（ステップＳ９）、ＲＡＭ１０２に格納されている現在の濃度補正情報を取得し（ステップＳ１０）、指示された印刷実行データに関連付けられてＨＤＤ１０３に格納されている濃度補正情報と、上記ＲＡＭ１０２に格納されている現在の濃度補正情報とを比較して、ＨＤＤ１０３に格納された濃度補正情報と現在の濃度補正情報が異なるかどうかを判断する（ステップＳ１１）。
【００５２】
ここで印刷実行データに関連付けられて格納された濃度補正情報と、現在の濃度補正情報とが異なっていなければ、印刷実行データをＨＤＤ１０３より取得し（ステップＳ１２）、印刷処理を行い（ステップＳ８）、本処理を終了する。また、上記ステップＳ１１で印刷実行データに関連付けられて格納された濃度補正情報と、現在の濃度補正情報とが異なっている場合は、その印刷実行データをＨＤＤ１０３から削除する（ステップＳ１３）。そして、指示された印刷データ（ページ記述言語形式）をＨＤＤ１０３から取得し（ステップＳ１４）、レンダリング処理を実行する（ステップＳ４）。以降は、ホストコンピュータ２００からの印刷指示と同様の処理を行ない、処理を終了する（ステップＳ５〜Ｓ８）。
【００５３】
図４は、本発明の印刷処理に係るＨＤＤ１０３内のデータの格納状態の一例を示す図である。例えば、ホストコンピュータ２００では、ユーザにより作成された印刷データに対して、ユーザにより設定された印刷条件に基づく処理を施し、ページ記述言語形式の印刷データを生成し、その印刷データを印刷ジョブとして画像形成装置（印刷装置）１に送信する。画像形成装置１では、各印刷ジョブをＨＤＤ１０３等の格納手段に格納して再度利用できるようにしている。画像形成装置のＨＤＤ１０３には、上記図４のような形態で印刷ジョブに含まれる印刷データ３０５が格納され、さらに、その印刷データ３０５にレンダリング処理を行って展開したラスターデータに対し、プリントエンジンから取得した濃度補正情報により濃度補正処理を行って、さらにハーフトーン処理を実行することにより得られた印刷実行データ３０１と、上記印刷データから再度印刷実行データを生成したときに要した時間情報（再生成時間）３０２と、印刷データの濃度補正に使用するためにプリントエンジンから取得した濃度補正情報３０３と、その印刷データにより印刷を行った回数（印刷データ使用回数）３０４とが格納されている。実際には、印刷データ使用回数３０４は、その印刷データにより生成した印刷実行データの印刷回数、すなわち、その印刷データの印刷を要求するジョブの回数を表す。
【００５４】
そして、データサイズ情報として、印刷データのサイズ３０８、濃度補正情報のサイズ３０７、及び印刷実行データのサイズ３０６、が格納される。すなわち、各印刷データ３０５に対して濃度補正情報３０３、印刷実行データ３０１、印刷データ使用回数３０４、及び印刷データの再生成時間３０２が関連付けられてＨＤＤ１０３に格納される。
【００５５】
図５は、上記のレンダリング処理によって生成されたＣＭＹＫのラスターデータを濃度補正データによって補正する処理の一例を説明するための図である。
ＲＧＢで表現されている印刷データ（ここではＲＧＢの各８ビットデータとする）にレンダリング処理を行って展開することにより、ＣＭＹＫの各８ビットデータが生成される。そして生成されたＣＭＹＫ各８ビットのデータは、変換テーブルよりＣ’Ｍ’Ｙ’Ｋ’（各８ビット）に変換される。
そしてＣ’Ｍ’Ｙ’Ｋ’の８ビットデータは、この後ハーフトーン処理により、プリントエンジンに出力可能なデータ（１／２／４ビット）へ変換される。
【００５６】
本発明に関わる実施形態では、上記のようにＨＤＤ等に保存された印刷実行データを後で再印刷する場合、環境の変化や部品等の消耗により画質劣化が発生した場合でも、最新の濃度補正情報を使用して再度印刷実行データを再生成して画像形成を行うことにより、常に最適な画像を得ることができる。すなわち、印刷装置に格納してある印刷実行データを再印刷しようとするとき、印刷実行データに関連付けられて格納された濃度補正情報と、現在の濃度補正情報とが異なっていた場合には、その印刷実行データを削除し、削除した印刷実行データに関連付けて格納されている印刷データ（ページ記述言語形式）から、再度印刷実行データを生成する処理を行って、印刷を行うようにしている。
【００５７】
そして本実施形態の特徴として、プリントエンジンにてキャリブレーションが行われて濃度補正情報が変更されたときに、ＨＤＤに格納されている印刷実行データが複数あって、それらの印刷実行データをすべて再生成する必要が生じた場合、印刷データの使用回数や印刷実行データの再生成に要する時間情報に応じて、印刷実行データの生成順序を決定する。このときに、印刷装置（画像形成装置）に格納している印刷データの使用回数をみて、その使用回数が多い順に再生成を行ったり、また印刷装置の使用状態をみて、印刷装置の使用頻度が高ければ再生成時間が短い印刷データ順に再生成を行ったり、逆に印刷装置の使用頻度が低ければ再生成時間が長い印刷データ順に再生成を行うようにする。これにより、印刷実行データを再生成するときの印刷装置の負荷を低減させることができる。
【００５８】
図６は、印刷装置に送られた印刷ジョブの格納状態の例を説明する図である。上記のように印刷装置では、印刷ジョブの情報をＨＤＤ等の格納手段に格納している。
ここでは、４種類のジョブ（ジョブ１〜ジョブ４）が格納されているものとする。そして図６の例では、各ジョブに対して、印刷データから印刷実行データを再生成したときの時間（図４の印刷実行データ再生成時間３０２）と、印刷データの使用回数（図４の印刷データ使用回数３０４）が対応付けられて格納されている。
図６の例では、ジョブ１の再生成時間は１０秒、使用回数は１００回であり、ジョブ２の再生成時間は２０秒、使用回数は４８回であり、ジョブ３の再生成時間は５秒、使用回数は２回であり、ジョブ４の再生成時間は４秒、使用回数は２５回である。
【００５９】
上述のように、本発明に関わる実施形態では、ＨＤＤに格納された印刷実行データを再印刷する際に、色再現条件が変化して印刷データを再度展開する必要が生じたとき、（１）ジョブの使用頻度（印刷データの使用頻度）の降順、（２）印刷実行データの再生成時間の降順、（３）印刷実行データの再生時間の昇順、（４）印刷装置の処理時間に応じた自動設定、のいずれかを再生成順序の決定条件として選択可能とし、その条件に従って印刷実行データの再生成順序を設定できるようにする。
【００６０】
図７は、図６に示すジョブの再生成順序について説明するための図である。まず上記条件（１）を選択した場合には、ジョブの使用頻度（印刷データの使用頻度）を優先してその降順で印刷実行データの再生成順序を決定する。使用頻度は、印刷データの累積使用回数により判断することができ、図７の例では、上記条件（１）に従って決定される印刷実行データの再生順序は、ジョブ１→２→４→３、となる。
【００６１】
また使用頻度は、所定期間内の印刷データの使用回数により判断するようにしてもよい。この場合は、図４に格納する印刷データ使用回数３０４に、所定期間内の印刷データの使用回数データを記録させておくようにするか、もしくは、別途所定期間内の印刷データの使用回数を積算演算して記憶させておくようにする。  
【００６２】
次に上記条件（２）を選択した場合には、印刷実行データの再生成時間の降順（再生成時間が長い順）に印刷実行データの再生成を行う。図７の例では、上記条件（２）に従って決定される印刷実行データの再生順序は、ジョブ２→１→３→４、となる。条件（２）では、例えば印刷装置の稼働率（使用頻度）が低い場合に、印刷実行データの再生成に時間がかかるものから、優先して再生成処理を行わせるようにすることができる。
【００６３】
次に上記条件（３）を選択した場合には、印刷実行データの再生成時間の昇順（再生成時間が短い順）に印刷実行データの再生成を行う。図７の例では、上記条件（３）に従って決定される印刷実行データの再生順序は、ジョブ４→３→１→２、となる。条件（３）では、例えば印刷装置の稼働率（使用頻度）が高い場合に、印刷装置で実行中のジョブに影響が少ない印刷データを優先して再生成処理を行わせるようにすることができる。
【００６４】
図８は、本発明の画像形成装置によって実行される印刷実行データの再生成処理の一例を説明するためのフローチャートで、画像形成装置（印刷装置）におけるキャリブレーションの実行に応じて、該印刷装置に格納されている印刷実行データを再生成する処理例を説明するものである。
まずプリントエンジン１１０にてキャリブレーションが実行され、ＲＡＭ１０２に保存されている現在の濃度補正情報が更新された場合（ステップＳ２１）、プリンタコントローラ１００のＣＰＵ１０１は、ＨＤＤ１０３に再生成前の印刷実行データがあるかどうかを判別する（ステップＳ２２）。そして、ＨＤＤ１０３に再生成前の印刷実行データがなければ処理を終了し、再生成前の印刷実行データがあれば、印刷実行データの再生成の順序として印刷データの使用回数が指定されているかどうかを判別する（ステップＳ２３）。ここで、印刷データの使用回数が指定されていれば、ＨＤＤ１０３内の使用回数が最大の再生成前の印刷実行データをＨＤＤから削除する（ステップＳ２４）。
【００６５】
そして、削除した印刷実行データに該当する印刷データをＨＤＤ１０３から取得して（ステップＳ２５）、さらにキャリブレーションにより更新された現在の濃度補正情報をＲＡＭ１０２から取得する（ステップＳ２６）。次いでＨＤＤ１０３から取得した印刷データに対してレンダリング処理を行って（ステップＳ２７）、取得した濃度補正情報を用いて濃度補正処理を行い（ステップＳ２８）、さらにハーフトーン処理を行って（ステップＳ２９）、得られた印刷実行データをＨＤＤ１０３へ格納する（ステップＳ３０）。そして全ての印刷実行データの再生成が完了したかどうかを判別し（ステップＳ３１）、完了していなければ上記ステップＳ２４に戻り、完了していれば処理を終了する。
【００６６】
また上記ステップＳ２３において、再生成順序として印刷データの使用回数が指定されていなければ、さらに印刷装置の状態を確認し、印刷装置におけるジョブの処理間隔が長いかどうかを判断する（ステップＳ３２）。ここで印刷装置におけるジョブの処理間隔が長ければ、印刷装置の使用頻度（稼働率）が低いため、印刷実行データの再生成に要する時間（再生成時間）が最長となる再生成前の印刷実行データをＨＤＤ１０３から削除する（ステップＳ３３）。
【００６７】
そして、削除した印刷実行データに該当する印刷データをＨＤＤ１０３から取得して（ステップＳ３４）、さらにキャリブレーションにより更新された現在の濃度補正情報をＲＡＭ１０２から取得する（ステップＳ３５）。次いでＨＤＤ１０３から取得した印刷データに対してレンダリング処理を行って（ステップＳ３６）、取得した濃度補正情報を用いて濃度補正処理を行い（ステップＳ３７）、さらにハーフトーン処理を行って（ステップＳ３８）、得られた印刷実行データをＨＤＤ１０３へ格納する（ステップＳ３９）。そして全ての印刷実行データの再生成が完了したかどうかを判別し（ステップＳ４０）、完了していなければ上記ステップＳ３３に戻り、完了していれば処理を終了する。
【００６８】
また上記ステップＳ３２において、印刷装置におけるジョブの処理間隔が長くなければ、印刷装置の使用頻度（稼働率）が高いため、印刷実行データの再生成処理時間が最短となる再生成前の印刷実行データをＨＤＤ１０３から削除する（ステップＳ４１）。
【００６９】
そして、削除した印刷実行データに該当する印刷データをＨＤＤ１０３から取得して（ステップＳ４２）、さらにキャリブレーションにより更新された現在の濃度補正情報をＲＡＭ１０２から取得する（ステップＳ４３）。次いでＨＤＤ１０３から取得した印刷データに対してレンダリング処理を行って（ステップＳ４４）、取得した濃度補正情報を用いて濃度補正処理を行い（ステップＳ４５）、さらにハーフトーン処理を行って（ステップＳ４６）、得られた印刷実行データをＨＤＤ１０３へ格納する（ステップＳ４７）。そして全ての印刷実行データの再生成が完了したかどうかを判別し（ステップＳ４８）、完了していなければ上記ステップＳ４１に戻り、完了していれば処理を終了する。
【００７０】
こうして、上記の処理により、プリントエンジン１１０で行われたキャリブレーションに応じて、ＨＤＤ１０３に格納する印刷実行データの再生成処理が行われる。
またこの他、印刷実行データの再生成処理においては、印刷装置の処理状況（使用頻度）に応じて、印刷実行データの再生成時間の優先順位を自動的に変更するように設定してもよい。
【００７１】
図９は、印刷装置のジョブリストを表示する表示画面例を示す図である。図９に示すように、印刷装置では、印刷装置が保存している印刷ジョブに関わる印刷データの状態を表示画面に表示させることができる。
ここでは、３つのジョブがジョブリストとして表示され、ジョブ１の再生成時間が１０秒であること、ジョブ２の印刷実行データが再生成済みであること、及びジョブ３の再生成時間が２０秒であることが表示される。
【００７２】
図１０は、印刷実行データを再生成するときの処理の優先順位を指定するための表示画面例を示す図である。図１０に示すように、印刷装置の表示画面には、印刷実行データを再生成するときの優先順位を指定するための画面を表示させることができる。ここでは、“ジョブの使用頻度を優先して再生成する”、“印刷実行データ再生成時間降順に再生成する”、“印刷実行データ再生成時間昇順に再生成する”、及び“印刷装置の処理時間に応じて自動的に順序を決める”が設定され、ユーザは、これらから任意の処理順序を選択して指定することができる。これら優先順位をユーザが指定可能とするために、印刷装置には操作パネルが備えられる。   
【００７３】
上記のように、印刷実行データの再生成に要する時間情報を表示することにより、印刷装置の利用者は、印刷の実行に関わる時間がわかるようになり、登録されている印刷データから印刷実行データを再生成するときの順序を任意に設定することができ、またこれにより印刷装置を有効利用することができるようになる。
【００７４】
画像形成装置１に搭載される場合のプログラムは、本発明に係る各手段（或いは各手段の一部）の機能を実現するようにＣＰＵ等を制御するプログラム（コンピュータを機能させるプログラム）である。このプログラムは、装置をユーザが使用する際に容易となるように、表示装置用のグラフィカルユーザインターフェース（ＧＵＩ）を備えるようにするとよい。そして、これら装置で取り扱われる情報は、その処理時に一時的にＲＡＭ１０２に蓄積され、その後、各種ＲＯＭやハードディスク１０３に格納され、必要に応じて、ＣＰＵ１０１によって読み出し、修正・書き込みが行われる。
【００７５】
プログラムを格納する記録媒体としては、半導体媒体（例えば、ＲＯＭ，不揮発性メモリカード等）、光記録媒体（例えば、ＤＶＤ，ＭＯ，ＭＤ，ＣＤ等）、磁気記録媒体（例えば、磁気テープ，フレキシブルディスク等）等のいずれであってもよい。
また、ロードしたプログラムを実行することにより、上述した実施例の機能が実現されるだけでなく、そのプログラムの指示に基づき、オペレーティングシステムあるいは他のアプリケーションプログラム等と共同して処理することにより、本発明の機能が実現される場合もある。
【００７６】
市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明の記録媒体に含まれる。
【図面の簡単な説明】
【００７７】
【図１】本発明の印刷実行データ出力システムを適用可能な画像形成装置の構成例を示す図である。
【図２】本発明の実施の形態に係る画像形成装置の内部構成を示すブロック図である。
【図３】本発明の印刷実行データ出力システムによって実行される印刷実行処理の一例を説明するためのフローチャートである。
【図４】本発明の印刷処理に係るＨＤＤ内のデータの格納状態の一例を示す図である。
【図５】レンダリング処理によって生成されたＣＭＹＫのラスターデータを濃度補正データによって補正する処理の一例を説明するための図である。
【図６】本発明の画像形成装置によって実行される印刷実行データ格納処理の他の例を説明するためのフローチャートである。
【図７】本発明の印刷実行データ出力システムによって実行される印刷実行処理の他の例を説明するためのフローチャートである。
【図８】本発明の画像形成装置によって実行される印刷実行データの再生成処理の一例を説明するためのフローチャートである。
【図９】印刷装置のジョブリストを表示する表示画面例を示す図である。
【図１０】印刷実行データを再生成するときの処理の優先順位を指定するための表示画面例を示す図である。
【符号の説明】
【００７８】
１…画像形成装置、１１…露光ユニット、１２ａ〜１２ｄ…現像器、１３ａ〜１３ｄ…感光体ドラム、１４ａ〜１４ｄ…クリーナユニット、１５ａ〜１５ｄ…帯電器、１６ａ〜１６ｄ…中間転写ローラ、１７…中間転写ベルト、１８…中間転写ベルトユニット、１９…中間転写ベルトクリーニングユニット、２０…給紙トレイ、２１…転写ローラ、２２…定着ユニット、２３…レジストローラ、２４…ヒートローラ、２５…加圧ローラ、２６…手差しトレイ、２７ａ〜２７ｈ…搬送ローラ、２８ａ，２８ｂ…ピックアップローラ、２９…排紙トレイ、１００…プリンタコントローラ、１０１…ＣＰＵ、１０２…ＲＡＭ、１０３…ＨＤＤ、１０４…ネットワークコントローラ、１０５…ビデオコントローラ、１１０…プリントエンジン、１１１…画像形成部、１１２…濃度センサ、１１３…温湿度センサ、１２０…操作パネル、１７１…中間転写ベルト駆動ローラ、１７２…中間転写ベルト従動ローラ、１７３…中間転写ベルトテンション機構、２００…ホストコンピュータ。
【図１】
2006231525.tif 000003
【図２】
2006231525.tif 000004
【図３】
2006231525.tif 000005
【図４】
2006231525.tif 000006
【図５】
2006231525.tif 000007
【図６】
2006231525.tif 000008
【図７】
2006231525.tif 000009
【図８】
2006231525.tif 000010
【図９】
2006231525.tif 000011
【図１０】
2006231525.tif 000012